(57)【要約】【課題】端部の画像が付加されていない複数の分割画像が入力される場合に、簡易な構成で複数の分割画像に境界部分を目立たせることなく画像処理を施すことのできる技術を提供する。【解決手段】本発明の画像処理装置は、入力された複数の分割画像に画像処理を施す複数の画像処理プロセッサを有し、画像処理プロセッサは、複数の画像処理プロセッサのうち、対象分割画像に隣接する分割画像である隣接分割画像を処理対象とする画像処理プロセッサから、該隣接分割画像の前記対象分割画像に隣接する端部の画像を取得する取得手段と、対象分割画像の端に、取得手段で取得された、該端に隣接する端部の画像を付加して、合成画像を生成する付加手段と、付加手段で生成された合成画像に画像処理を施す画像処理手段と、を有する。【選択図】図１
2013131042.tif 000002
【特許請求の範囲】
【請求項１】
１枚の画像を分割して得られる複数の分割画像に画像処理を施す画像処理装置であって、
入力された複数の分割画像に画像処理を施す複数の画像処理プロセッサを有し、
前記画像処理プロセッサは、
自身の処理対象の分割画像である対象分割画像から、他の分割画像に隣接する端部の画像を抽出し、抽出した端部の画像を、前記複数の画像処理プロセッサのうち、該他の分割画像を処理対象とする画像処理プロセッサへ送る抽出手段と、
前記複数の画像処理プロセッサのうち、前記対象分割画像に隣接する分割画像である隣接分割画像を処理対象とする画像処理プロセッサから、該隣接分割画像の前記対象分割画像に隣接する端部の画像を取得する取得手段と、
前記対象分割画像の端に、前記取得手段で取得された、該端に隣接する端部の画像を付加して、合成画像を生成する付加手段と、
前記付加手段で生成された合成画像に画像処理を施す画像処理手段と、
を有する
ことを特徴とする画像処理装置。
【請求項２】
前記端部の画像は、少なくとも、前記画像処理プロセッサが対象分割画像に画像処理を施す場合に参照される領域の画像を含む
ことを特徴とする請求項１に記載の画像処理装置。
【請求項３】
隣接分割画像が複数存在する場合に、
前記抽出手段は、対象分割画像から、隣接分割画像に隣接する端部の画像を抽出し、抽出した端部の画像を、該隣接分割画像を処理対象とする画像処理プロセッサへ送る処理を、隣接分割画像毎に行い、
前記取得手段は、隣接分割画像を処理対象とする画像処理プロセッサから、該隣接分割画像の前記対象分割画像に隣接する端部の画像を取得する処理を、隣接分割画像毎に行い、
前記付加手段は、対象分割画像の端に、該端に隣接する端部の画像を付加する処理を、前記複数の隣接分割画像が隣接する対象分割画像の端毎に行い、合成画像を生成する
ことを特徴とする請求項１または２に記載の画像処理装置。
【請求項４】
前記画像処理プロセッサは、前記画像処理手段で画像処理が施された合成画像から、前記付加手段で付加された端部の画像を切り取り、該端部の画像が切り取られた画像を出力する切り取り手段をさらに有する
ことを特徴とする請求項１から請求項３までのいずれか１項に記載の画像処理装置。
【請求項５】
前記画像処理プロセッサは、
メモリと、
前記メモリのワード境界に基づいて、前記対象分割画像にダミー画像を付加し、該ダミー画像が付加された対象分割画像を前記メモリに書き込む書き込み手段と、
をさらに有し、
前記付加手段は、前記メモリから、前記ダミー画像が付加された対象分割画像を、前記取得手段で取得された端部の画像を付加して読み出し、該読み出した画像から前記ダミー画像を切り取ることにより前記合成画像を生成する
ことを特徴とする請求項１から請求項４までのいずれか１項に記載の画像処理装置。
【請求項６】
１枚の画像を分割して得られる複数の分割画像に画像処理を施す複数の画像処理プロセッサを有する画像処理装置の制御方法であって、
前記画像処理プロセッサが、自身の処理対象の分割画像である対象分割画像から、他の分割画像に隣接する端部の画像を抽出し、抽出した端部の画像を、前記複数の画像処理プロセッサのうち、該他の分割画像を処理対象とする画像処理プロセッサへ送る抽出ステップと、
前記画像処理プロセッサが、前記複数の画像処理プロセッサのうち、前記対象分割画像に隣接する分割画像である隣接分割画像を処理対象とする画像処理プロセッサから、該隣接分割画像の前記対象分割画像に隣接する端部の画像を取得する取得ステップと、
前記画像処理プロセッサが、前記対象分割画像の端に、前記取得ステップで取得された、該端に隣接する端部の画像を付加して、合成画像を生成する付加ステップと、
前記画像処理プロセッサが、前記付加ステップで生成された合成画像に画像処理を施す画像処理ステップと、
を有する
ことを特徴とする画像処理装置の制御方法。
【請求項７】
１枚の画像を分割して得られる第１および第２の分割画像に画像処理を施す画像処理装置であって、
入力された前記第１の分割画像に画像処理を施す第１の画像処理プロセッサと、入力された前記第２の分割画像に画像処理を施す第２の画像処理プロセッサとを有し、
前記第１の画像処理プロセッサは、
前記第１の分割画像内の端部の画像であって、前記第２の分割画像に隣接する端部の画像を、第１の端部画像として抽出して、前記第２の画像処理プロセッサへ送る抽出手段と、
前記第２の画像処理プロセッサから、前記第２の分割画像内の端部の画像であって、前記第１の分割画像に隣接する端部の画像を、第２の端部画像として取得する取得手段と、
前記第１の分割画像の、前記第２の分割画像が隣接する側の端に、前記取得手段で取得された前記第２の端部画像を付加して、合成画像を生成する付加手段と、
前記付加手段で生成された合成画像に画像処理を施す画像処理手段と、
を有する
ことを特徴とする画像処理装置。
【請求項８】
１枚の画像を分割して得られる第１および第２の分割画像に画像処理を施す第１および第２の画像処理プロセッサを有する画像処理装置の制御方法であって、
前記第１の画像処理プロセッサが、前記第１の分割画像内の端部の画像であって、前記第２の分割画像に隣接する端部の画像を、第１の端部画像として抽出して、前記第２の画像処理プロセッサへ送る抽出ステップと、
前記第１の画像処理プロセッサが、前記第２の画像処理プロセッサから、前記第２の分割画像内の端部の画像であって、前記第１の分割画像に隣接する端部の画像を、第２の端部画像として取得する取得ステップと、
前記第１の画像処理プロセッサが、前記第１の分割画像の、前記第２の分割画像が隣接する側の端に、前記取得手段で取得された前記第２の端部画像を付加して、合成画像を生成する付加ステップと、
前記第１の画像処理プロセッサが、前記付加手段で生成された合成画像に画像処理を施す画像処理ステップと、
を有することを特徴とする画像処理装置の制御方法。
【発明の詳細な説明】
【技術分野】
【０００１】
本発明は、画像処理装置及びその制御方法に関する。
【背景技術】
【０００２】
近年、ディスプレイの高解像度化（例えば、４０９６×２１６０画素）が進められており、高解像度な画像コンテンツ等も製作されてきている。従来、１つの画像処理プロセッサ（画像処理ＬＳＩ）だけでは画像処理能力が足りなくなるため、１枚の入力画像を複数の分割画像に分割し、複数の画像処理プロセッサを用いて複数の分割画像に同時に画像処理を施す技術が提案されている（特許文献１）。
また、入力画像を複数の分割画像に分割して画像処理を行う場合に、複数の分割画像の境界部分を目立たなくする技術が提案されている（特許文献２）。具体的には、特許文献２では、分割画像に、その分割画像に隣接する分割画像の一部の画像（隣接する端部の画像）を付加して画像処理を施す技術が開示されている。
【先行技術文献】
【特許文献】
【０００３】
【特許文献１】特開２０００−２０４８１号公報
【特許文献２】特開２０１１−９７４７４号公報
【発明の概要】
【発明が解決しようとする課題】
【０００４】
しかしながら、そのようなディスプレイに、１枚の画像（高解像度の画像）ではなく、複数の分割画像（端部の画像が付加されていない複数の分割画像）が入力されることもある。従来の技術（特許文献１や特許文献２に開示の技術）は、そのような場合に対応していないため、複数の分割画像の境界部分を目立たなくすることはできない。
また、上述した特許文献１に開示の技術では、マスタプロセッサが、１枚分の画像を保持し、分割画像を端部の画像を付加してスレーブプロセッサに転送する。そのため、特許文献１に開示の技術では、高解像度の画像から端部の画像が付加された複数の分割画像を生成するマスタプロセッサとメモリ（少なくとも１枚分の画像を保持するためのメモリ）が必要になる。
【０００５】
そこで本発明は、端部の画像が付加されていない複数の分割画像が入力される場合に、簡易な構成で複数の分割画像に境界部分を目立たせることなく画像処理を施すことのできる技術を提供することを目的とする。
【課題を解決するための手段】
【０００６】
本発明の第１の態様は、
１枚の画像を分割して得られる複数の分割画像に画像処理を施す画像処理装置であって、
入力された複数の分割画像に画像処理を施す複数の画像処理プロセッサを有し、
前記画像処理プロセッサは、
自身の処理対象の分割画像である対象分割画像から、他の分割画像に隣接する端部の画像を抽出し、抽出した端部の画像を、前記複数の画像処理プロセッサのうち、該他の分割画像を処理対象とする画像処理プロセッサへ送る抽出手段と、
前記複数の画像処理プロセッサのうち、前記対象分割画像に隣接する分割画像である隣接分割画像を処理対象とする画像処理プロセッサから、該隣接分割画像の前記対象分割画像に隣接する端部の画像を取得する取得手段と、
前記対象分割画像の端に、前記取得手段で取得された、該端に隣接する端部の画像を付加して、合成画像を生成する付加手段と、
前記付加手段で生成された合成画像に画像処理を施す画像処理手段と、
を有する
ことを特徴とする画像処理装置である。
【０００７】
本発明の第２の態様は、
１枚の画像を分割して得られる複数の分割画像に画像処理を施す複数の画像処理プロセッサを有する画像処理装置の制御方法であって、
前記画像処理プロセッサが、自身の処理対象の分割画像である対象分割画像から、他の分割画像に隣接する端部の画像を抽出し、抽出した端部の画像を、前記複数の画像処理プロセッサのうち、該他の分割画像を処理対象とする画像処理プロセッサへ送る抽出ステップと、
前記画像処理プロセッサが、前記複数の画像処理プロセッサのうち、前記対象分割画像に隣接する分割画像である隣接分割画像を処理対象とする画像処理プロセッサから、該隣接分割画像の前記対象分割画像に隣接する端部の画像を取得する取得ステップと、
前記画像処理プロセッサが、前記対象分割画像の端に、前記取得ステップで取得された、該端に隣接する端部の画像を付加して、合成画像を生成する付加ステップと、
前記画像処理プロセッサが、前記付加ステップで生成された合成画像に画像処理を施す画像処理ステップと、
を有する
ことを特徴とする画像処理装置の制御方法である。
【０００８】
本発明の第３の態様は、
１枚の画像を分割して得られる第１および第２の分割画像に画像処理を施す画像処理装置であって、
入力された前記第１の分割画像に画像処理を施す第１の画像処理プロセッサと、入力された前記第２の分割画像に画像処理を施す第２の画像処理プロセッサとを有し、
前記第１の画像処理プロセッサは、
前記第１の分割画像内の端部の画像であって、前記第２の分割画像に隣接する端部の画像を、第１の端部画像として抽出して、前記第２の画像処理プロセッサへ送る抽出手段と、
前記第２の画像処理プロセッサから、前記第２の分割画像内の端部の画像であって、前記第１の分割画像に隣接する端部の画像を、第２の端部画像として取得する取得手段と、
前記第１の分割画像の、前記第２の分割画像が隣接する側の端に、前記取得手段で取得された前記第２の端部画像を付加して、合成画像を生成する付加手段と、
前記付加手段で生成された合成画像に画像処理を施す画像処理手段と、
を有する
ことを特徴とする画像処理装置である。
【０００９】
本発明の第４の態様は、
１枚の画像を分割して得られる第１および第２の分割画像に画像処理を施す第１および第２の画像処理プロセッサを有する画像処理装置の制御方法であって、
前記第１の画像処理プロセッサが、前記第１の分割画像内の端部の画像であって、前記第２の分割画像に隣接する端部の画像を、第１の端部画像として抽出して、前記第２の画像処理プロセッサへ送る抽出ステップと、
前記第１の画像処理プロセッサが、前記第２の画像処理プロセッサから、前記第２の分割画像内の端部の画像であって、前記第１の分割画像に隣接する端部の画像を、第２の端部画像として取得する取得ステップと、
前記第１の画像処理プロセッサが、前記第１の分割画像の、前記第２の分割画像が隣接する側の端に、前記取得手段で取得された前記第２の端部画像を付加して、合成画像を生成する付加ステップと、
前記第１の画像処理プロセッサが、前記付加手段で生成された合成画像に画像処理を施す画像処理ステップと、
を有することを特徴とする画像処理装置の制御方法である。
【発明の効果】
【００１０】
本発明によれば、端部の画像が付加されていない複数の分割画像が入力される場合に、簡易な構成で複数の分割画像に境界部分を目立たせることなく画像処理を施すことができる。
【図面の簡単な説明】
【００１１】
【図１】実施例１に係る画像処理システムの構成の一例
【図２】実施例１に係る入力画像と端部の画像の一例
【図３】実施例１に係る左画像に画像処理を施す画像処理ＬＳＩの構成の一例
【図４】実施例１に係る右画像に画像処理を施す画像処理ＬＳＩの構成の一例
【図５】実施例２に係る画像処理システムの構成の一例
【図６】実施例２に係る画像処理ＬＳＩの処理の一例
【図７】実施例２に係る画像処理ＬＳＩの構成の一例
【発明を実施するための形態】
【００１２】
＜実施例１＞
以下、本発明の実施例１に係る画像処理装置及びその制御方法について説明する。本実施例に係る画像処理装置は、１枚の画像を分割して得られる複数の分割画像に画像処理を施す。
【００１３】
図１は、本実施例に係る画像処理装置を用いた画像処理システムの構成の一例を示す図である。
ＰＣ１００は、パーソナルコンピュータなどの画像を出力する機器である。ＰＣ１００は、本実施例に係る画像処理装置（具体的には、ビデオレシーバ１０３）に、通信ケーブル１０１，１０２を用いて接続される。ＰＣ１００は、１枚の画像を水平方向に分割して得られる２つの分割画像を、２つの通信ケーブル１０１，１０２を介して画像処理装置に出力する。具体的には、通信ケーブル１０１を介して、１枚の画像の左半分の画像（左画像）が出力される。通信ケーブル１０２を介して、１枚の画像の右半分の画像（右画像）が出力される。通信ケーブル１０１，１０２は、例えば、Ｄｉｓｐｌａｙｐｏｒｔケーブル、ＵＳＢケーブル又はＰＣＩ  ｅｘｐｒｅｓｓケーブル等である。
【００１４】
本実施例に係る画像処理装置（画像表示装置）は、ビデオレシーバ１０３、画像処理ＬＳＩ（Large Scale Integration）１０６，１０７（入力された複数の分割画像に画像処
理を施す複数の画像処理プロセッサ）、表示パネル１１２などを有する。
【００１５】
ビデオレシーバ１０３は、入力された分割画像のフォーマットを画像処理装置内で処理するのに適したフォーマットに変換し、フォーマットが変換された分割画像を画像処理ＬＳＩ１０６，１０７に出力する。具体的には、ビデオレシーバ１０３は、通信ケーブル１０１を介して入力された左画像のＤｉｓｐｌａｙｐｏｒｔ信号をＬＶＤＳ信号に変換し、通信線１０４を介して画像処理ＬＳＩ１０６に出力する。また、ビデオレシーバ１０３は、通信ケーブル１０２を介して入力された右画像のＤｉｓｐｌａｙｐｏｒｔ信号をＬＶＤＳ信号に変換し、通信線１０５を介して画像処理ＬＳＩ１０７に出力する。
【００１６】
画像処理ＬＳＩ１０６は、通信線１０４を介して入力される左画像（第１の分割画像）に対して画像処理を施すプロセッサ（第１の画像処理プロセッサ）である。画像処理は、例えば、画像の拡大、縮小、ノイズリダクション、エンハンサ、変形、フレームレート変換等を行うフィルタ処理である。但し、画像処理はこれに限らない。画像処理はフィルタ処理でなくてもよい。
左画像に画像処理を施すことにより右画像との境界部分が目立つことを抑制するためには、左画像の右端に、右画像内（第２の分割画像内）の端部の画像であって、左画像に隣接する端部の画像を付加する必要がある。上記端部の画像を左画像に付加することにより、右画像の画素値を考慮して左画像に画像処理を施すことができるため、右画像との境界部分を目立たせることなく左画像に画像処理を施すことが可能となる。
そこで、本実施例では、画像処理ＬＳＩ１０６は、画像処理ＬＳＩ１０７から通信線１０８を介して上記端部の画像（第２の端部画像）を取得し、取得した端部の画像を左画像に付加する。そして、画像処理ＬＳＩ１０６は、端部の画像が付加された左画像に画像処理を施し、画像処理が施された左画像を通信線１１０を介して表示パネル１１２へ出力する。
【００１７】
画像処理ＬＳＩ１０７は、通信線１０５を介して入力される右画像（第２の分割画像）に対して画像処理（画像処理ＬＳＩ１０６と同様の画像処理）を施すプロセッサ（第２の画像処理プロセッサ）である。
具体的には、画像処理ＬＳＩ１０７は、画像処理ＬＳＩ１０６から通信線１０９を介して端部の画像（左画像内（第１の分割画像内）の端部の画像であって、右画像に隣接する端部の画像；第１の端部画像）を取得し、取得した端部の画像を右画像（右画像の左端）に付加する。そして、画像処理ＬＳＩ１０７は、端部の画像が付加された右画像に画像処理を施し、画像処理が施された右画像を通信線１１１を介して表示パネル１１２へ出力する。
【００１８】
なお、端部の画像は、少なくとも、画像処理ＬＳＩが処理対象の分割画像（対象分割画像）に画像処理を施す場合に参照される領域の画像を含むことが好ましい。例えば、画像処理がフィルタ処理の場合には、端部の画像は、対象分割画像の最も端の画素にフィルタ処理を施す際に参照される（フィルタのタップに含まれる）領域の画像を含むことが好ましい。そのような画像を端部の画像とすることにより、対象分割画像に隣接する分割画像（隣接分割画像）の画素値を最大限に考慮することができ、対象分割画像と隣接分割画像との境界部分が目立つことをより抑制することができる。
また、画像処理ＬＳＩ内のメモリの容量を小さくするために、端部の画像は小さいことが好ましい。そのため、端部の画像は、画像処理ＬＳＩが処理対象の分割画像（対象分割画像）に画像処理を施す場合に参照される領域の画像であることが好ましい。
なお、本実施例では、１枚の画像を水平方向に分割して得られる左画像と右画像が入力されるものとしたが、これに限らない。１枚の画像を垂直方向に分割して得られる上画像（元の画像の上半分の画像）と下画像（元の画像の下半分の画像）が入力されてもよい。１枚の画像を斜めに分割して得られる２つの画像が入力されてもよい。入力される複数の分割画像のサイズは互いに異なっていてもよい。
【００１９】
表示パネル１１２は、画像処理が施された複数の分割画像を取得する。そして、表示パネル１１２は、取得した複数の分割画像を合成して１枚の画像を生成し、表示する。具体的には、表示パネル１１２は、通信線１１０を介して、画像処理が施された左画像を取得し、通信線１１１を介して、画像処理が施された右画像を取得する。そして、表示パネル１１２は、取得した左画像と右画像を合成して、１枚の画像（左半分が画像処理が施された左画像であり、右半分が画像処理が施された右画像である１枚の画像）を生成し、表示する。
表示パネル１１２は、例えば、液晶ディスプレイパネル、プラズマディスプレイパネル
、有機ＥＬディスプレイパネルなどである。なお、表示パネル１１２は、画像処理装置の一部であってもよいし、画像処理装置と別体の装置であってもよい。
【００２０】
図２を用いて、実施例１に係る入力画像と端部の画像の一例を説明する。
図２は、ＰＣ１００から、元画像２００を水平方向に分割して得られる左画像２０１と右画像２０４（図中の画像分割線で分割することにより得られる左画像２０１と右画像２０４）が入力された場合の例である。
図２の例では、左画像２０１の右端から左画像２０１の内側に所定画素数分の画像が端部画像２０２とされ、端部画像２０２が右画像２０４の左端に付加される。
また、図２の例では、右画像２０４の左端から右画像２０４の内側に所定画素数分の画像が端部画像２０３とされ、端部画像２０３が左画像２０１の右端に付加される。
そして、端部画像２０３が付加された左画像２０１に対して画像処理が施された後、左画像２０１に付加された端部画像２０３が除去され、画像処理が施された左画像２０１（端部画像２０３が除去された画像）が表示パネル１１２へ出力される。
また、端部画像２０２が付加された右画像２０４に対して画像処理が施された後、右画像２０４に付加された端部画像２０２が除去され、画像処理が施された右画像２０４（端部画像２０２が除去された画像）が表示パネル１１２へ出力される。
【００２１】
図３，４を用いて、本実施例に係る画像処理ＬＳＩの構成について詳しく説明する。図３は、画像処理ＬＳＩ１０６の構成の一例を示すブロック図である。図４は、画像処理ＬＳＩ１０７の構成の一例を示すブロック図である。
【００２２】
まず、図３を用いて画像処理ＬＳＩ１０６について説明する。
データバス６は、機能ブロック間の高速データ転送に用いられる。
メモリ７は、データバス６を介して入力されたデータを記憶する。
【００２３】
第１書き込み部３は、左画像２０１の右端と左端がメモリ７のワードアライン境界（ワード境界）と一致するように、左画像２０１の左端にダミー画像３００を付加し、ダミー画像３００が付加された左画像２０１をメモリ７に書き込む。例えば、１ワード（ここでは３２ｂｙｔｅ）当たり８画素の画素データを記憶する場合、ダミー画像３００の水平方向の画素数は、左画像２０１とダミー画像３００の水平方向の画素数の合計が８で割り切れる値となるような数となる。
【００２４】
端部生成部４、第２書き込み部５、及び、通信部８により、自身（画像処理ＬＳＩ１０６）の処理対象の分割画像である対象分割画像から、他の分割画像に隣接する端部の画像が抽出され、抽出した端部の画像が、複数の画像処理ＬＳＩのうち、該他の分割画像を処理対象とする画像処理ＬＳＩへ送られる。
本実施例では、端部生成部４は、左画像２０１から端部画像２０２を生成し、第２書き込み部５へ出力する。
第２書き込み部５は、端部画像２０２を通信部８に出力する。
通信部８は、第２書き込み部５から出力された端部画像２０２を画像処理ＬＳＩ１０７へ送信する。
また、通信部８は、複数の画像処理ＬＳＩのうち、隣接分割画像を処理対象とする画像処理ＬＳＩから、該隣接分割画像の対象分割画像に隣接する端部の画像を取得する。本実施例では、通信部８は、画像処理ＬＳＩ１０７から端部画像２０３を受信し、受信した端部画像２０３をデータバス６を介してメモリ７に記憶する。端部画像２０３は、第１書き込み部３により書き込まれた左画像２０１の右端に連続してつながるようにワードアラインされてメモリ７に記憶される。
【００２５】
読み出し部９とダミー画像切り取り部１０により、対象分割画像の端に、通信部８で取
得された、該端に隣接する端部の画像が付加され、合成画像が生成される。
本実施例では、読み出し部９は、メモリ７から、ダミー画像３００が付加された左画像２０１と端部画像２０３とを結合して読み出す。即ち、ダミー画像３００が付加された左画像２０１が、端部画像２０３が付加されてメモリ７から読み出される。読み出された画像（ダミー画像と端部画像が付加された左画像）は、ダミー画像切り取り部１０へ出力する。
ダミー画像切り取り部１０は、左画像２０１に付加されたダミー画像３００を削除する（切り取る）。それにより、上記合成画像として、左画像２０１に端部画像２０３が付加された画像が得られる。ダミー画像切り取り部１０は、合成画像（端部画像２０３が付加された左画像２０１）を画像処理部１１へ出力する。
【００２６】
画像処理部１１は、ダミー画像切り取り部１０で生成された合成画像（ダミー画像切り取り部１０から出力された合成画像）に画像処理（画像の拡大、縮小、ノイズリダクション、エンハンサ、変形、フレームレート変換等を行うフィルタ処理等）を施す。
端部切り取り部１２は、画像処理が施された合成画像から、端部画像２０３部分を削除し（切り取り）、端部画像２０３部分が削除された合成画像（即ち、画像処理が施された左画像２０１）を通信線１１０を介して表示パネル１１２に出力する。
【００２７】
次に、図４を用いて画像処理ＬＳＩ１０７について説明する。画像処理ＬＳＩ１０７の各機能ブロックの処理は、画像処理ＬＳＩ１０６と同様である。以下、詳しく説明する。
データバス１６は、機能ブロック間の高速データ転送に用いられる。
メモリ１７は、データバス１６を介して入力されたデータを記憶する。
【００２８】
第１書き込み部１３は、右画像２０４の右端と左端がメモリ１７のワードアライン境界と一致するように、右画像２０４の右端にダミー画像３５０を付加し、ダミー画像３５０が付加された右画像２０４をメモリ１７に書き込む。
【００２９】
端部生成部１４は、右画像２０４から端部画像２０３を生成し、第２書き込み部１５へ出力する。
第２書き込み部１５は、端部画像２０３を通信部１８に出力する。
通信部１８は、第２書き込み部１５から出力された端部画像２０３を画像処理ＬＳＩ１０６へ送信する。
また、通信部１８は、画像処理ＬＳＩ１０６から端部画像２０２を受信し、受信した端部画像２０２をデータバス１６を介してメモリ１７に記憶する。
【００３０】
読み出し部１９は、メモリ１７から、ダミー画像３５０が付加された右画像２０４と端部画像２０２とを結合して読み出し、ダミー画像切り取り部２０へ出力する。
ダミー画像切り取り部２０は、右画像２０４に付加されたダミー画像３５０を削除する。それにより、合成画像として、右画像２０４に端部画像２０２が付加された画像が得られる。ダミー画像切り取り部２０は、合成画像（端部画像２０２が付加された右画像２０４）を画像処理部２１へ出力する。
【００３１】
画像処理部２１は、ダミー画像切り取り部２０で生成された合成画像（ダミー画像切り取り部２０から出力された合成画像）に画像処理を施す。
端部切り取り部２２は、画像処理が施された合成画像から、端部画像２０２部分を削除し、端部画像２０２部分が削除された合成画像（即ち、画像処理が施された右画像２０４）を通信線１１１を介して表示パネル１１２に出力する。
【００３２】
以上述べたように、本実施例によれば、各画像処理ＬＳＩは、対象分割画像から、他の画像処理ＬＳＩで必要とされる端部の画像を生成し、該他の画像処理ＬＳＩへ出力する。
そして、各画像処理ＬＳＩは、対象分割画像を、他の画像処理ＬＳＩから出力された端部の画像を付加して、画像処理を施す。そのため、端部の画像が付加されていない複数の分割画像が入力される場合に、複数の分割画像に境界部分を目立たせることなく画像処理を施すことができる。また、本実施例によれば、各画像処理ＬＳＩは、少なくとも、分割画像と、該分割画像に付加する端部の画像を記憶することのできるメモリを有していればよい。そのため、１枚の高解像度の画像（全ての分割画像）を保持するメモリを必要としない簡易な構成で、複数の分割画像に境界部分を目立たせることなく画像処理を施すことができる。
【００３３】
＜実施例２＞
以下、本発明の実施例２に係る画像処理装置及びその制御方法について説明する。実施例１では、元画像が２つの分割画像に分割されて画像処理装置に入力される場合について説明した。実施例２では、元画像が３つ以上の分割画像に分割される場合について説明する。具体的には、元画像が２×２の４つの分割画像に分割され、１つの対象分割画像に対し複数の隣接分割画像が存在する場合について説明する。
【００３４】
図５（ａ），（ｂ）を用いて、本実施例に係る画像処理装置を用いた画像処理システムの構成について説明する。図５（ａ）は、本実施例に係る画像処理装置に入力される分割画像の一例を示す図である。図５（ｂ）は、本実施例に係る画像処理システムの構成の一例を示す図である。
本実施例では、ＰＣ４０５は、１枚の画像４００を水平方向および垂直方向に分割して得られる２×２の４つの分割画像４０１〜４０４を、画像処理装置（ビデオレシーバ４０６）に出力する。
【００３５】
ビデオレシーバ４０６は、４つの分割画像４０１〜４０４をフォーマット変換して４つの画像処理ＬＳＩ４１０〜４１３に出力する。具体的には、分割画像４０１は画像処理ＬＳＩ４１０に出力される。分割画像４０２は画像処理ＬＳＩ４１１に出力される。分割画像４０３は画像処理ＬＳＩ４１２に出力される。分割画像４０４は画像処理ＬＳＩ４１３に出力される。
バススイッチ４１４は、画像処理ＬＳＩ間を接続し、画像処理ＬＳＩ間で端部の画像を伝送するために用いられる。
【００３６】
画像処理ＬＳＩ４１０〜４１３は、入力された分割画像に画像処理を施す。
本実施例では、各画像処理ＬＳＩにおいて、対象分割画像から、隣接分割画像に隣接する端部の画像を抽出し、抽出した端部の画像を、該隣接分割画像を処理対象とする画像処理ＬＳＩへ送る処理が、隣接分割画像毎に行われる。隣接分割画像を処理対象とする画像処理ＬＳＩから、該隣接分割画像の対象分割画像に隣接する端部の画像を取得する処理が、隣接分割画像毎に行われる。そして、対象分割画像の端に、該端に隣接する端部の画像を付加する処理が、複数の隣接分割画像が隣接する対象分割画像の端毎に行われ、合成画像が生成される。
【００３７】
具体的には、図６（ａ）に示すように、画像処理ＬＳＩ４１０は、分割画像４０１の右端から分割画像４０１の内側に所定画素数分の画像を端部画像６００とする。図６（ｂ）に示すように、画像処理ＬＳＩ４１０は、分割画像４０１の下端から分割画像４０１の内側に所定画素数分の画像を端部画像６０１とする。そして、図６（ｃ）に示すように、画像処理ＬＳＩ４１０は、分割画像４０１の右下端から分割画像４０１の内側に所定画素数分の画像を端部画像６０２とする。画像処理ＬＳＩ４１０は、バススイッチ４１４を用いて、端部画像６００を画像処理ＬＳＩ４１１へ、端部画像６０１を画像処理ＬＳＩ４１２へ、端部画像６０２を画像処理ＬＳＩ４１３へ送る。
【００３８】
図６（ｄ）に示すように、画像処理ＬＳＩ４１１は、分割画像４０２の左端から分割画像４０２の内側に所定画素数分の画像を端部画像６０３とする。図６（ｅ）に示すように、画像処理ＬＳＩ４１１は、分割画像４０２の下端から分割画像４０２の内側に所定画素数分の画像を端部画像６０４とする。そして、図６（ｆ）に示すように、画像処理ＬＳＩ４１１は、分割画像４０２の左下端から分割画像４０２の内側に所定画素数分の画像を端部画像６０５とする。画像処理ＬＳＩ４１１は、バススイッチ４１４を用いて、端部画像６０３を画像処理ＬＳＩ４１０へ、端部画像６０４を画像処理ＬＳＩ４１３へ、端部画像６０５を画像処理ＬＳＩ４１２へ送る。
【００３９】
図６（ｇ）に示すように、画像処理ＬＳＩ４１２は、分割画像４０３の右端から分割画像４０３の内側に所定画素数分の画像を端部画像６０６とする。図６（ｈ）に示すように、画像処理ＬＳＩ４１２は、分割画像４０３の上端から分割画像４０３の内側に所定画素数分の画像を端部画像６０７とする。そして、図６（ｉ）に示すように、画像処理ＬＳＩ４１２は、分割画像４０３の右上端から分割画像４０３の内側に所定画素数分の画像を端部画像６０８とする。画像処理ＬＳＩ４１２は、バススイッチ４１４を用いて、端部画像６０６を画像処理ＬＳＩ４１３へ、端部画像６０７を画像処理ＬＳＩ４１０へ、端部画像６０８を画像処理ＬＳＩ４１１へ送る。
【００４０】
図６（ｊ）に示すように、画像処理ＬＳＩ４１３は、分割画像４０４の左端から分割画像４０４の内側に所定画素数分の画像を端部画像６０９とする。図６（ｋ）に示すように、画像処理ＬＳＩ４１３は、分割画像４０４の上端から分割画像４０４の内側に所定画素数分の画像を端部画像６１０とする。そして、図６（ｌ）に示すように、画像処理ＬＳＩ４１３は、分割画像４０４の左上端から分割画像４０４の内側に所定画素数分の画像を端部画像６１１とする。画像処理ＬＳＩ４１３は、バススイッチ４１４を用いて、端部画像６０９を画像処理ＬＳＩ４１２へ、端部画像６１０を画像処理ＬＳＩ４１１へ、端部画像６１１を画像処理ＬＳＩ４１０へ送る。
【００４１】
図６（ｍ）に示すように、画像処理ＬＳＩ４１０は、分割画像４０１に端部画像６０３，６０７，６１１を付加する。そして、画像処理ＬＳＩ４１０は、端部画像６０３，６０７，６１１が付加された分割画像４０１に画像処理を施し、画像処理が施された分割画像４０１を表示パネル４１５へ出力する。
図６（ｎ）に示すように、画像処理ＬＳＩ４１１は、分割画像４０２に端部画像６００，６０８，６１０を付加する。そして、画像処理ＬＳＩ４１１は、端部画像６００，６０８，６１０が付加された分割画像４０２に画像処理を施し、画像処理が施された分割画像４０２を表示パネル４１５へ出力する。
図６（ｏ）に示すように、画像処理ＬＳＩ４１２は、分割画像４０３に端部画像６０１，６０５，６０９を付加する。そして、画像処理ＬＳＩ４１２は、端部画像６０１，６０５，６０９が付加された分割画像４０３に画像処理を施し、画像処理が施された分割画像４０３を表示パネル４１５へ出力する。
図６（ｐ）に示すように、画像処理ＬＳＩ４１３は、分割画像４０４に端部画像６０２，６０４，６０６を付加する。そして、画像処理ＬＳＩ４１３は、端部画像６０２，６０４，６０６が付加された分割画像４０４に画像処理を施し、画像処理が施された分割画像４０４を表示パネル４１５へ出力する。
【００４２】
表示パネル４１５は、画像処理が施された複数の分割画像を取得する。そして、表示パネル４１５は、取得した複数の分割画像を合成して１枚の画像（画像処理が施された分割画像４０１〜４０４が２×２に並べられた画像）を生成し、表示する。
【００４３】
図７を用いて、本実施例に係る画像処理ＬＳＩ４１０の構成について詳しく説明する。なお、画像処理ＬＳＩ４１１〜４１３の基本構成は画像処理ＬＳＩ４１０と同様のため、
その説明は省略する。
【００４４】
データバス５１４は、機能ブロック間の高速データ転送に用いられる。
メモリ５０８は、データバス５１４を介して入力されたデータを記憶する。
第１書き込み部５０１は、分割画像４０１を、ワードアラインして（ダミー画像を付加して）、メモリ５０８に書き込む。
【００４５】
端部生成部５０２，５０４，５０６、第２書き込み部５０３，５０５，５０７、及び、通信部５０９により、対象分割画像から、隣接分割画像に隣接する端部の画像を抽出し、抽出した端部の画像を、該隣接分割画像を処理対象とする画像処理ＬＳＩへ送る処理が、隣接分割画像毎に行われる。
本実施例では、端部生成部５０２は、分割画像４０１から端部画像６００を生成し、第２書き込み部５０３へ出力する。
第２書き込み部５０３は、端部画像６００を通信部５０９に出力する。
端部生成部５０４は、分割画像４０１から端部画像６０１を生成し、第２書き込み部５０５へ出力する。
第２書き込み部５０５は、端部画像６０１を通信部５０９に出力する。
端部生成部５０６は、分割画像４０１から端部画像６０２を生成し、第２書き込み部５０７へ出力する。
第２書き込み部５０７は、端部画像６０２を通信部５０９に出力する。
通信部５０９は、第２書き込み部５０３から出力された端部画像６００をバススイッチ４１４を介して画像処理ＬＳＩ４１１へ送信する。通信部５０９は、第２書き込み部５０５から出力された端部画像６０１をバススイッチ４１４を介して画像処理ＬＳＩ４１２へ送信する。通信部５０９は、第２書き込み部５０７から出力された端部画像６０２をバススイッチ４１４を介して画像処理ＬＳＩ４１３へ送信する。
【００４６】
また、通信部５０９は、隣接分割画像を処理対象とする画像処理ＬＳＩから、該隣接分割画像の対象分割画像に隣接する端部の画像を取得する処理を、隣接分割画像毎に行う。
本実施例では、通信部５０９は、画像処理ＬＳＩ４１１から端部画像６０３を受信し、受信した端部画像６０３をデータバス５１４を介してメモリ５０８に記憶する。端部画像６０３は、第１書き込み部５０１により書き込まれた分割画像４０１の右端に連続してつながるようにワードアラインされてメモリ５０８に記憶される。
通信部５０９は、画像処理ＬＳＩ４１２から端部画像６０７を受信し、受信した端部画像６０７をデータバス５１４を介してメモリ５０８に記憶する。端部画像６０７は、第１書き込み部５０１により書き込まれた分割画像４０１の下端に連続してつながるようにワードアラインされてメモリ５０８に記憶される。
通信部５０９は、画像処理ＬＳＩ４１３から端部画像６１１を受信し、受信した端部画像６１１をデータバス５１４を介してメモリ５０８に記憶する。端部画像６１１は、第１書き込み部５０１により書き込まれた分割画像４０１の右下端に連続してつながるようにワードアラインされてメモリ５０８に記憶される。
【００４７】
読み出し部５１０とダミー画像切り取り部５１１により、対象分割画像の端に、該端に隣接する端部の画像を付加する処理が、複数の隣接分割画像が隣接する対象分割画像の端毎に行われ、合成画像が生成される。
本実施例では、読み出し部５１０は、メモリ７から、ダミー画像が付加された分割画像４０１、端部画像６０３、端部画像６０７、及び、端部画像６１１を結合して読み出し、ダミー画像切り取り部５１１へ出力する。
ダミー画像切り取り部５１１は、分割画像４０１に付加されたダミー画像を削除する。それにより、上記合成画像として、分割画像４０１に端部画像６０３，６０７，６１１が付加された画像が得られる。ダミー画像切り取り部５１１は、合成画像（端部画像６０３
，６０７，６１１が付加された分割画像４０１）を画像処理部５１２へ出力する。
【００４８】
画像処理部５１２は、ダミー画像切り取り部５１１で生成された合成画像（ダミー画像切り取り部５１１から出力された合成画像）に画像処理を施す。
端部切り取り部５１３は、画像処理が施された合成画像から、端部画像６０３，６０７，６１１部分を削除し、端部画像６０３，６０７，６１１部分が削除された合成画像（即ち、画像処理が施された分割画像４０１）を表示パネル４１５に出力する。
【００４９】
なお、本実施例では、元画像が２×２の４つの分割画像に分割されて画像処理装置に入力される場合について説明したが、分割方法や分割数が異なる場合であっても同様に処理すればよい。
以上述べたように、本実施例によれば、１つの対象分割画像に対して隣接分割画像が複数存在する場合であっても、実施例１と同様に、簡易な構成で、複数の分割画像に境界部分を目立たせることなく画像処理を施すことができる。
具体的には、本実施例でも実施例１と同様に、各画像処理ＬＳＩは、他の画像処理ＬＳＩで必要とされる端部の画像を生成し、該他の画像処理ＬＳＩへ出力する。そして、各画像処理ＬＳＩは、対象分割画像を、他の画像処理ＬＳＩから出力された端部の画像を付加して、画像処理を施す。そのため、端部の画像が付加されていない複数の分割画像が入力される場合に、複数の分割画像に境界部分を目立たせることなく画像処理を施すことができる。また、本実施例によれば、各画像処理ＬＳＩは、少なくとも、分割画像と、該分割画像に付加する端部の画像を記憶することのできるメモリを有していればよい。そのため、１枚の高解像度の画像（全ての分割画像）を保持するメモリを必要としない簡易な構成で、複数の分割画像に境界部分を目立たせることなく画像処理を施すことができる。
【符号の説明】
【００５０】
４，１４，５０２，５０４，５０６  端部生成部
５，１５，５０３，５０５，５０７  第２書き込み部
８，１８，５０９  通信部
９，１９，５１０  読み出し部
１０，２０，５１１  ダミー画像切り取り部
１１，２１，５１２  画像処理部
１０６，１０７，４１０〜４１３  画像処理ＬＳＩ
【図１】
2013131042.tif 000003
【図２】
2013131042.tif 000004
【図３】
2013131042.tif 000005
【図４】
2013131042.tif 000006
【図５】
2013131042.tif 000007
【図６】
2013131042.tif 000008
【図７】
2013131042.tif 000009